(57)【特許請求の範囲】
【請求項１】
下式の化合物を調製する方法であって
0003744538.tif 000016
（ここでＲはＣ1−Ｃ6アルキルである）、下式のジフルオロベンゼン誘導体
0003744538.tif 000017
（ここでＡはBr、Ｉ、−OS(O)2R2または-OP(=O)(OR3)2であり、Ｒ2はＦ、CF3、Ｃ1−Ｃ6アルキル、アリール、または置換アリールであり、そしてＲ3はＣ1−Ｃ6アルキルである）と、アレン、式CH2(CO2R)2のマロン酸ジアルキル（ここでＲはＣ1−Ｃ6アルキルである）、および塩基との混合物を、パラジウム(II)触媒の存在下、密閉容器内で容器内圧が6.9×103Pa〜69×103Pa（１〜10psig）の範囲の圧力下において、極性有機溶媒中で加熱する工程を包含する、方法。
【請求項２】
前記ＡがBrであり、そしてＲがエチルまたはメチルである、請求項１に記載の方法。
【請求項３】
前記触媒が、ビス（トリフェニルホスフィン）パラジウム(II)クロリド、あるいはP(Ar)3（ここでArはフェニルおよびオルトートリルから選択されるアリール基である）と、触媒PdX2（ここでＸはCl、BrまたはＩである）との組み合わせである、請求項１または２に記載の方法。
【請求項４】
前記塩基がK2CO3、Na2CO3、NaH、KH、Na3PO4、K3PO4、NaOR1またはKOR1（ここでＲ1はＣ1−Ｃ6アルキルである）である、請求項１、２または３に記載の方法。
【請求項５】
前記塩基が、Na3PO4またはK3PO4である、請求項１、２、３または４に記載の方法。
【請求項６】
前記溶媒が、DMF、DMSO、THF、アセトンまたはアセトニトリルである、請求項１、２、３、４または５に記載の方法。
【請求項７】
前記混合物が40℃から120℃に加熱される、請求項１、２、３、４、５または６に記載の方法。
【請求項８】
前記混合物が50℃から90℃に加熱される、請求項１、２、３、４、５、６または７に記載の方法。
【請求項９】
前記混合物が密閉容器内で加熱され、そして該容器内の圧力が、6.9×103Pa〜207×103Pa（１〜30psig）である、請求項１、２、３、４、５、６、７または８に記載の方法。
【発明の詳細な説明】
発明の背景
本発明は抗真菌剤の合成において有用な中間体の合成の化学的に有効な一工程法を包含する。
PCT国際公開WO第89/04829号、米国特許第5,039,676号、およびPCT国際公開WO第93/09114号では置換テトラヒドロフランアゾール化合物が抗真菌剤として有用であることが示されている。これらの化合物の合成方法は多数知られている。特に共同所有のPCT出願公開WO第94/25452号ではこれらの抗真菌剤の調製に使用されるキラルな中間体の調整方法について述べられている。式Ｉのマロン酸ジアルキル誘導体
0003744538.tif 000002
（ここでＲはＣ1−Ｃ6アルキルである）は、本法に使用される重要な中間体である。したがって式Ｉの化合物の効果的な合成は、本法による抗真菌化合物の合成において重要なファクターとなる。
PCT公開WO第94/25452号では式Ｉの化合物の調製方法が示されている。反応１で示されるこの方法は、マロン酸ジアルキルアニオン（ここでＭ+は適切な金属対イオンそしてＲはＣ1−Ｃ6アルキルである）と式IIの化合物（ここでＺはBr、-OSO2CH3または-OSO2C6H4CH3から選択される脱離基である）とを反応させ式Ｉの化合物を形成することを包含している。しかし式IIの出発化合物を調製するには多段階の工程が必要であるということから、この方法は効果的ではない。
発明の要旨
本発明は、式Ｉの化合物を調製する方法を包含する：
0003744538.tif 000003
（ここでＲはＣ1−Ｃ6アルキルである）。この方法は、式IXのジフルオロベンゼン誘導体：
0003744538.tif 000004
（ここでＡはBr、Ｉ、-OS(O)2R2、または-OP(=O)(OR3)2であり、Ｒ2はＦ、CF3、Ｃ1-Ｃ6アルキル、アリール、または置換アリールであり、Ｒ3はＣ1-Ｃ6のアルキルである）と、アレン、式CH2(CO2R)2のマロン酸ジアルキル（ここでＲはＣ1−Ｃ6アルキルである）、および塩基との混合物を密閉容器においてパラジウム触媒の存在下で極性有機溶媒中で加熱して表Ｉの化合物を形成することを包含し、そして容器内の過剰圧力が6.9×103〜69×103Pa（１〜10psig）の範囲である。
好ましくはＡはBr、Ｉ、-OS(O)2R2または-OP(=O)(OR3)2であり、ここでＲ2はＦ、CF3、CH3、C6H5、-C6H4CH3、-C6H4CF3またはナフチルであり、Ｒ3はCH3またはC2H5である。好ましくはＲはエチルまたはメチルである。好ましくは、塩基はK2CO3、Na2CO3、NaH、KH、NaOR1またはKOR1（ここでＲ1はＣ1−Ｃ6アルキルである）、あるいはNa3PO4またはK3PO4のようなリン酸塩である。好ましい溶媒としてはDMF、DMSO、THF、アセトンおよびアセトニトリルが包含される。
さらに好ましいのは、塩基がNa3PO4またはK3PO4、そして触媒がPd(dppe)、Pd(PPh3)4、PdCl2(PPh3)2から選択される、上記の方法である。その上さらに好ましいのはPd2(dba)3およびPdX2（ここでＸはCl、BrまたはＩである）から選択されるパラジウム触媒であり、これらの触媒は構造式P(Ar)3(ここでArはフェニルまたはオルト−トリルから選択されるアリール基である）のトリアリールホスフィンと組み合わせて用いられる。最も好ましくは、触媒はPdCl2(PPh3)2である。最も好ましいＡはBrである。好ましくは、この混合物は40℃から120℃、そして最も好ましくは60℃から80℃に加熱される。
発明の詳細な説明
本明細書で使用される用語：
「アリール」は、フェニルまたはナフチルのような炭素環式芳香族基を意味し、
「置換アリール」はＦ、Cl、Br、CF3、またはＣ1-Ｃ6アルキルから独立して選択される、１、２または３個の置換基を有するアリール基を意味する。
0003744538.tif 000005
反応Ａにおいては、マロン酸ジアルキルIIIが塩基（好ましくはNaHまたはKH）で処理され、マロン酸アニオンのナトリウムまたはカリウム塩が前もって形成される。次いでマロン酸塩、ジフルオロベンゼン誘導体(IX)、好ましくは1-ブロモ-2,4-ジフルオロベンゼン、極性有機溶媒、好ましくはTHF、触媒およびアレンを合わせ、6.9×103−207×103Pa、好ましくは35×103-104×103Pa（１−30psig好ましくは5−15psig）の過剰圧力下において密閉容器中で、40℃−100℃、好ましくは50℃−90℃、最も好ましくは70℃−80℃で加熱し、マロン酸ジアルキル誘導体Ｉが形成される。
あるいは、反応Ａにおいてマロン酸ジアルキルIIIは、ジフルオロベンゼン誘導体(IX)、塩基、極性有機溶媒および触媒と一緒にされる。塩基は、好ましくはNa2CO3、K2CO3、Na3PO4またはK3PO4であり、最も好ましくはNa3PO4である。極性有機溶媒は、好ましくはDMF、DMSO、THF、アセトンまたはCH3CNであり、最も好ましくはDMFである。触媒は、好ましくはPd(dppe)、Pd(PPh3)4、PdCl2(PPh3)2あるいはP(Ar)3とPd2(dba)3またはPdX2のいずれかとの組み合わせであり（ここで、ArおよびＸは上に定義した通りである）、さらに好ましくはPdCl2(PPh3)2である。得られた混合物を40℃から120℃、好ましくは50℃から90℃、最も好ましくは70℃から80℃に加熱し、そして6.9×103−207×103Pa、好ましくは6.9×103−104×103Pa、最も好ましくは6.9×103-69×103Pa(1−30psig、好ましくは1−15psig、最も好ましくは1−10psig)の過剰圧力にまでアレンと共に加圧する。約1.3当量のアレンが消費されるまで加熱は続けられる。次いでその混合物を室温まで冷却し、H2SO4水溶液のような希酸でクエンチされる。そしてヘプタンのような適切な溶媒で抽出され、式Ｉの化合物が得られる。
出発物質のジフルオロベンゼン誘導体(IX)（例えば1-ブロモ-2,4-ジフルオロベンゼン）は公知であって、市販されており、または確立した方法により調製され得る。例えば、Ａが-OS(O)2R2または-OP(=O)(OR3)2である式(IX)の化合物は、市販の2,4-ジフルオロフェノールから確立した方法によって調製され得る。
以下の調製および実施例は本発明の方法を示す。
実施例１
0003744538.tif 000006
１gのビス（トリフェニルホスフィン）パラジウム(II)クロリド、300mLのDMF、100gの1-ブロモ-2,4-ジフルオロベンゼン、165mLのマロン酸ジエチルおよび210gのNa3PO4を、6.9×103Pa(１psig)の過剰圧力下で窒素雰囲気中、密閉容器内で合わせる。その混合物を75℃まで加熱し、過剰圧が69×103Pa(10psig)未満に維持されるような速度で、26gのアレンをゆっくりと加える。70℃から75℃で24時間加熱を続ける。室温まで冷却し、次いでその混合物を50mLの濃H2SO4および500mLの水にゆっくりと注ぐ。600mLのヘプタンで抽出し、ヘプタン抽出液を水(2×100mL)で洗浄する。抽出液を蒸留し、容量300mLにまで濃縮する。5gの無水マレイン酸を添加し、その混合物を４時間環流加熱する。室温まで冷却し、400mLの水および30ｇのK2CO3を加え、次いで３時間撹拌する。層を分離し、ヘプタン層を水(2×100mL)で洗浄し、次いでそのヘプタン溶液を濃縮して残渣とし、139ｇの表題の化合物を得た。
前述の実施例では無水マレイン酸処理により式(V)のジエン不純物を除去する。
0003744538.tif 000007
ジエン（Ｖ）は無水マレイン酸と反応し、無水物を形成し、その無水物は次いで反応２で示されるように、塩基性水溶液によるその後の処理によって加水分解され、ジアニオン(VI)が形成される。化合物(VI)は水溶液中に残留する。化合物VIII（以下の実施例２参照）は同じ反応を受け、該化合物が存在し得るかぎり、該化合物も無水マレイン酸／塩基性水溶液処理によって除去される。
反応２：
0003744538.tif 000008
実施例１の表題の化合物はまた、表１に示される塩基、触媒および溶媒を使用し、実施例１に述べられたのと実質的に同じ手順に従って調製された。
0003744538.tif 000009
実施例２
0003744538.tif 000010
一連の実験を2,4-ジフルオロブロモベンゼン、１〜２当量のマロン酸ジエチルおよび塩基を、パラジウム触媒溶液と共に適切な容器内で合わせることによって行った。触媒は実験2A（ここではPdCl2/dppeが触媒として使われた）を除いてPdCl2(Ph3)2（１〜３重量％）であった。大部分の実験では、容器を密閉し、窒素ガスによってパージし、それから排気した。次いでアレンをその排気した容器に充填し、この混合物を約72℃に加熱し、そして初期圧を記録した。あるいは、実験2P、2Q、2Sおよび2Tでは、レギュレーターを備え、排気された冷却ガス試験管にアレンを充填した。次いでそのアレンを加熱された反応容器（約72℃）に21×103Pa(3psig)の過剰圧力下で充填した。どちらの条件でも次いで加熱を16〜24時間続け、そしてその反応混合物をHPLC(Zorbax▲Ｒ▼ RX-C-8カラム、75:25 MeOH/水、１mL/分)によって分析した。
これらの実験の詳細な反応条件および結果を表２にまとめて示す。これらの結果はHPLCによって決定された以下の８つの化合物のそれぞれの割合(％)を含む：
表題の化合物、すなわちＲがエチルである化合物Ｉ、（保持時間7.8分）；
未反応の出発物質(S.M)（保持時間5.3分）；
ジエン不純物（例えば化合物Ｖ）（保持時間6.8分）；
次の構造式を持つ化合物VIIとして同定された不純物（保持時間19.6分）
0003744538.tif 000011
次の構造式を持つ化合物VIIIとして同定された不純物（保持時間18.3分）
0003744538.tif 000012
および、
Ａ、ＢおよびＣで示される未同定の３つの不純物（それぞれ保持時間が7.2分、12.3分および22.8分）。
0003744538.tif 000013
0003744538.tif 000014
実施例３
0003744538.tif 000015
2.9g(２当量)のNaH（オイル中の60％分散液）をヘプタン（２×80mL）で洗浄する。洗浄したNaHを60mLのDMFと合わせ、それから30℃未満の反応温度が維持されるように11.0g(68.8mmol)のマロン酸ジエチルをゆっくりと加える。得られた混合物を30分間撹拌し、ジエチルソジオマロネート溶液を形成させる。
0.39gのPd2(dba)3、0.34gのdppeおよび10mlのDMFを適切な容器中で合わせ、そして窒素ガスでパージする。6.6gの2,4-ジフルオロブロモ-ベンゼンおよび上記で調製したソジオマロネート溶液を加え、混合物を約−45℃に冷却する。アレンを容器に充填し、それから窒素で52×103Pa(7.5psi)に加圧する。混合物を55℃〜65℃で10時間撹拌する。−45℃に冷却し、さらにアレンを加えそれから75℃〜80℃で24時間撹拌する。室温まで冷やし、アレンを加え、そして75℃〜80℃で４時間撹拌する。反応混合物を氷水に注ぎ、300mLのヘプタンで抽出する。濾過し、次いでヘプタン抽出液を500mLのEtOHで希釈する。得られた溶液のHPLC分析は表題の化合物が７ｇ(収率86％)存在していることを示している。［HPLC分析はZorbax▲Ｒ▼ RX-C-8カラムを使用し、75:25のMeOH/水、１mL/minで行われた。］表題の化合物は真空中での濃縮によって単離される。